(57)【特許請求の範囲】
【請求項１】
両端部に開口部を有し、一方の開口部に嵌入された検出部、検出回路等が形成されたプリント基板等が収容された本体ケースと、
該本体ケースの他方の開口部に結合されたリアケースと、
透明又半透明の材料からなり、ケーブルの先端部がインサートされて一体に形成され、その心線が前記プリント基板に接続されて前記リアケースに取付けられたクランパーと、
前記プリント基板に接続され、前記クランパー内に配設された動作表示用の表示器とを有し、
前記本体ケース及びリアケース内に樹脂を充填したことを特徴とする近接スイッチ。
【発明の詳細な説明】
【０００１】
【発明の属する技術分野】
本発明は、被検出物の存否、移動、数量等を検出する近接スイッチに係り、さらに詳しくは、動作表示部を備えた近接スイッチに関すものである。
【０００２】
【従来の技術】
近接スイッチは、通常、検出コイルと、発振回路、検波回路、スイッチング回路、増幅回路等からなりプリント基板に形成された検出回路部と、ＬＥＤ等からなり動作を表示する動作表示部と、電源ラインや信号ラインを形成するケーブル等からなり、検出コイルの検出面に被検出物が近接すると発振回路の発振状態が変化するので、この変化を検波回路で検出してスイッチング回路を作動させ、これを増幅回路で増幅し、検出信号としてケーブルから出力する。同時に、動作表示部を点灯させて表示するようにしている。
【０００３】
【発明が解決しようとする課題】
上記のような従来の近接スイッチにおいては、動作表示部は、近接スイッチの本体の後部に露出して設けたＬＥＤを直接点灯して表示し、あるいは、本体内に収容したＬＥＤを一端が本体の後部に露出したグラスファイバーを利用して表示していた。
このため、動作表示部が見える方向と見えない方向があるため、取付時の制約になっていた。また、ＬＥＤが露出している場合は、外力により損傷し易いという問題があった。
【０００４】
本発明は、上記の課題を解決するためになされたもので、動作表示部の点灯がどの方向からも容易かつ確実に視認することができ、その上動作表示が外力によって損傷するおそれのない近接スイッチを得ることを目的としたものである。
【０００６】
【課題を解決するための手段】
本発明に係る近接スイッチは、両端部に開口部を有し、一方の開口部に嵌入された検出部、検出回路等が形成されたプリント基板等が収容された本体ケースと、該本体ケースの他方の開口部に結合されたリアケースと、透明又は半透明の材料からなり、ケーブルの先端部がインサートされて一体に形成され、その心線が前記プリント基板に接続されて前記リアケースに取付けられたクランパーと、前記プリント基板に接続され、前記クランパー内に配設された動作表示用の表示器とを有し、前記本体ケース及びリアケース内に樹脂を充填したものである。
【０００７】
【発明の実施の形態】
図１は本発明の一実施の形態を示すもので、（ａ）は平面図、（ｂ）は縦断面図である。図において、１は金属材料からなり、両端部が開口された円筒状の本体ケースで、外周部にはおねじ２が設けられている。なお、以下の説明では、図１（ｂ）の下方を先端部、上方を後端部という。
４は合成樹脂からなり検出コイル５が装着されて検出部を構成するヘッドキャップで、本体ケース１の先端開口部内に嵌入されており、その先端部には検出面６が形成されている。７は後述のプリント基板を保持するホルダである。
【０００８】
８は例えば合成樹脂からなり、天板に開口部１０が設けられた断面ほぼコ字状のリアケースで、先端部を本体ケース１に挿入することにより一体に結合される。１１はリアケース８の肩部に設けた樹脂注入穴、１２は同じく空気抜き穴である。なお、本体ケース１へ後部内周部にめねじを設けると共に、リアケース８の先端部におねじを設け、両者をねじにより一体に結合するようにしてもよい。
【０００９】
１３は電源ラインや検出ラインを構成するケーブルで、その先端部は透明又は半透明の合成樹脂材料からなる円筒状のクランパー１５にインサートされて一体成形されている。このクランパー１５の先端部はリアケース８の開口部１０に挿入されており、クランパー１５から引出されたケーブル１３の心線１４は、後述のプリント基板に接続されている。
【００１０】
２０は多くの電子部品等（図示せず）が搭載されて検出回路部等が形成れたプリント基板で、本体ケース１及びリアケース８内に挿入され、その先端部はホルダ７に保持されている。
２１はクランバー１５内に配設され、そのリード線２２がプリント基板２０の検出回路部に接続された動作表示部を構成する例えばＬＥＤの如き表示器である。なお、図示してないが、本体ケース１及びリアケース８内には合成樹脂が充填され、本体ケース１、ヘッドキャップ４、リアケース８、ケーブル１３の一部及びプリント基板２０を一体に結合している。
【００１１】
次に、上記のように構成した近接スイッチの組立手順の一例について説明する。
後端部側に表示器２１が接続されたプリント基板２０の先端部をヘッドキャップ４のホルダ７に結合し、本体ケース１の先端開口部から本体ケース１内に挿入し、ヘッドキャップ４を本体１の先端部に嵌入する。ついで、本体ケース１内に後端部近傍まで溶融状態の樹脂を充填してこれらを一体に結合し、乾燥させる。
一方、リアケース８の開口部１０にクランパー１５を挿入する。
【００１２】
本体ケース１内に充填した樹脂が固化したときは、ケーブル１３の心線１４をプリント基板２０に接続する。
ついで、リアケース８の先端部を本体ケース１の後端部側に挿入して一体に結合し、クランパー１５の先端部をリアケース８の開口部１０に嵌入する。このとき、表示器２１はリアケース８の外側においてクランパー１５内に位置する。
【００１３】
この状態で、本体ケース１の後端部側内及びリアケース８内に、リアケース８に設けた樹脂注入穴１１から溶融状態の樹脂を注入し、本体ケース１、リアケース８及びリアケース８内のケーブル、表示器２１のリード線２２等を一体に結合する。このとき、本体ケース１及びリアケース８内の空気は、空気抜き穴１２から外部に排気される。最後に樹脂注入穴１１及び空気抜き穴１２を樹脂で閉塞する。なお、上述の組立手順はその一例を示すもので、適宜変更することができる。
【００１４】
次に、上記のように構成した本実施形態に係る近接スイッチの作用を説明する。
例えば、搬送路上を搬送される被検出物を近接スイッチで検出する場合は、搬送路の近傍に近接スイッチを設置し、そのプリント基板２０にケーブル１３を介して通電する。これにより、プリント基板２０に設けた発振回路によって検出コイル５に励磁電流が流れ、検出面６の周囲に磁場が形成される。
【００１５】
いま、磁性材料からなる被検出物が搬送路上を搬送されて近接スイッチで形成された磁場内に進入すると、被検出物に渦電流が発生し、この渦電流損失によって発振回路の発振状態が変化する。この変化を検波回路で検出してスイッチング回路を作動させ、これを増幅回路で増幅し、検出信号としてケーブル１３から出力し、同時に表示器２１を点灯させる。これにより、被検出物が搬送路上を通過したことを検知すると共に、近接スイッチが正常に動作したことを目視により確認することができる。
このとき、表示器２１は、透明又は半透明で円筒状のクランパー１５内に設置されているので、その点灯はどの方向からも容易に目視して確認することができる。
【００１６】
このように、本実施形態に係る近接スイッチは、動作を表示する表示器２１が透明又は半透明で円筒状のクランパー１５内に設置されているため、どの方向からもその作動状態を容易かつ確実に視認できるので、取付位置に制約を受けることがない。
また、表示器２１はクランパー１５によって保護されているので、外力によって損傷することもない。
【００１７】
図２は本発明に係る近接スイッチにおけるプリント基板への表示器の取付例を示す説明図である。
図２（ａ）は図１で説明したように、プリント基板２０の後端部側に、リード線２２により表示器２１を接続したものである。
また、図２（ｂ）は、プリント基板２０の後端部側に突出部２０ａを設け、この突出部２０ａの両面（図には一方の面だけ示してある）に表示器２１であるチップ状のＬＥＤを取付けたものである。
【００１８】
さらに、図２（ｃ）は、半透明の基板（レジストを塗布しない状態の基板）に突出部２０ａを設け、この突出部２０ａの一方の面に表示器２１であるチップ状のＬＥＤを実装したものである。これにより、レジストを塗布してない基板は透光性がよいので、ＬＥＤを点灯するとＬＥＤの側面から濡れた光で基板を光らせることができるため、プリント基板２０を透過した光を後面側で目視することができる。
【００１９】
以上本発明の実施の形態について説明したが、本発明の要部をなす動作表示部は、上述の近接スイッチと構造、機能の異なる近接スイッチにも実施することができる。
また、図２によりプリント基板に対する表示器の取付手段について説明したが、他の手段を用いてもよい。
【００２１】
【発明の効果】
本発明に係る近接スイッチは、両端部に開口部を有し、一方の開口部に嵌入された検出部、検出回路等が形成されたプリント基板等が収容された本体ケースと、この本体ケースの他方の開口部に結合されたリアケースと、透明又は半透明の材料からなり、ケーブルの先端部がインサートされて一体に形成され、その心線がプリント基板に接続されてリアケースに取付けられたクランパーと、プリント基板に接続されクランパー内に配設された動作表示用の表示器とを有し、本体ケース及びリアケース内に樹脂を充填して構成し、動作表示器を支持部材の方向を除くどの方向からも目視しうる位置に設けて動作状態を容易かつ確実に視認できるようにしたので、取付位置に制約を受けることがない。
【図面の簡単な説明】
【図１】本発明の実施の形態の平面図及び縦断面図である。
【図２】図１のプリント基板への表示器の他の取付例を示す斜視図である。
【符号の説明】
１  本体ケース
４  ヘッドキャップ（検出部）
５  励磁コイル
８  リアケース
１３  ケーブル
１５  クランパー
２０  プリント基板
２０ａ  突出部
２１  表示器
【図１】
0004182378.tif 000002
【図２】
0004182378.tif 000003